(57)【要約】      （修正有）【課題】構造が簡単であり、小型で軽量であり、製造及び使用に便利なフィルム貼付用補助位置決め装置を提供する。【解決手段】電子機器への保護フィルムの貼り付けを補助するためのフィルム貼付用補助位置決め装置は、パネル本体を備え、パネル本体はフレーム１及び位置規制部材２を備え、フレームの中部に保護フィルムのサイズに一致する中空領域３が設けられ、位置規制部材が中空領域の側辺に可動に連結され、位置規制部材の間に電子機器の挟持空間が形成され、挟持空間が中空領域の位置に対して相対的に設けられる。このため携帯電話を固定した後、保護フィルムの貼り付け位置を正確に決定でき、保護フィルムを正確で効率的に貼り付けることができる。パネル本体が平面構造のため製造が容易で、位置規制部材がフレームに可動なため、構造の柔軟性が向上し、製造工程の複雑さが低減される。【選択図】図１
0003233138.tif 000002
【実用新案登録請求の範囲】
【請求項１】
電子機器への保護フィルムの貼り付けを補助するためのフィルム貼付用補助位置決め装置であって、パネル本体を備え、前記パネル本体はフレーム及び位置規制部材を備え、前記フレームの中央部に保護フィルムのサイズに一致する中空領域が設けられ、前記位置規制部材が中空領域の側辺に可動に連結され、位置規制部材の間に電子機器の挟持空間が形成され、前記挟持空間が中空領域の位置に対して相対するように設けられることを特徴とするフィルム貼付用補助位置決め装置。
【請求項２】
前記位置規制部材はフレームとの間で折り曲げ可能であることを特徴とする請求項１に記載のフィルム貼付用補助位置決め装置。
【請求項３】
前記位置規制部材とフレームとは一体接続構造であり、前記位置規制部材とフレームとの間に折り目が設けられることを特徴とする請求項２に記載のフィルム貼付用補助位置決め装置。
【請求項４】
前記位置規制部材は第１折り曲げ片を備え、前記第１折り曲げ片は中空領域の各隅部の隣接する両辺に設けられ、隣接する両辺における第１折り曲げ片同士が挟持構造を形成し、前記第１折り曲げ片がフレームに対し折り曲げられる前は、隣接する２つの第１折り曲げ片同士は互いに当接し、フレームと同一平面上にあることを特徴とする請求項２に記載のフィルム貼付用補助位置決め装置。
【請求項５】
前記第１折り曲げ片は中空領域の内部に向かって折り曲げられ、前記挟持構造は直角に形成されることを特徴とする請求項４に記載のフィルム貼付用補助位置決め装置。
【請求項６】
前記位置規制部材は第２折り曲げ片を備え、前記第２折り曲げ片はそれぞれが位置するフレームの側辺に向かって折り曲げられ、前記第２折り曲げ片の側辺が中空領域に向けられ、各前記第２折り曲げ片の側辺が折り曲げられた後組み合わさって前記挟持空間を形成することを特徴とする請求項２に記載のフィルム貼付用補助位置決め装置。
【請求項７】
前記中空領域の側辺に位置規制側辺が設けられ、各位置規制側辺が保護フィルムの位置規制空間を形成し、各位置規制側辺がそれぞれ保護フィルムの側辺に当接されることを特徴とする請求項１に記載のフィルム貼付用補助位置決め装置。
【請求項８】
前記パネル本体の材質が紙であることを特徴とする請求項１に記載のフィルム貼付用補助位置決め装置。
【請求項９】
前記紙の坪量範囲が６００ｇ〜１２００ｇであることを特徴とする請求項８に記載のフィルム貼付用補助位置決め装置。
【考案の詳細な説明】
【技術分野】
【０００１】
本考案はフィルム貼付装置の技術分野に属し、特に、電子機器へのフィルム貼り付けを補助するためのフィルム貼付用補助位置決め装置に関する。
【背景技術】
【０００２】
フィルム貼付装置は、携帯電話などの電子機器へのフィルム貼り付けを補助するための装置であり、その目的はフィルム貼り付けの高精度及び高効率を確保することにある。特許番号「ＣＮ２１０７０８０９０Ｕ」、名称「フィルム貼付補助器」である特許文献には、フレーム及び位置規制部を備え、フレームには中空領域が形成され、位置規制部は、フレームの内側面に設けられて、電子機器を載せるために使用され、電子機器には中空領域を介して保護フィルムが貼り付けられるようにした、電子機器への保護フィルムの貼り付けを補助するためのフィルム貼付補助器が開示されている。
【０００３】
しかし、上記補助器は一体射出成形されたものであり、製造周期が長く、製造コストが高く、重量が大きい。この問題に対して、特許番号「ＣＮ２０５０６０２９６Ｕ」、名称「多機能携帯電話パッケージケース」である特許文献には、一体に連結された裏面部及び表面部を含み、折れ線を有する１枚の素材シートを折り畳んでなるケースを備え、裏面部の内側に携帯電話を収容するための位置決め用保護フレームが貼り付けられ、位置決め用保護フレームの上面には携帯電話の画面の縁部を覆うための位置決めプレートが設けられている、多機能携帯電話パッケージケースが開示されている。しかし、このパッケージケースは、製造工程が複雑であるため製造が不便であり、また、材料コストが高く、重量が大きい。
【考案の概要】
【考案が解決しようとする課題】
【０００４】
上記の問題を解決するために、本考案の目的は、従来技術における欠陥や不足に対し、携帯電話を位置決めするとともに、保護フィルムを正確に貼り付けることができる、フィルム貼付用補助位置決め装置を提供することにある。
本考案の他の目的は、構造が簡単であり、小型で軽量であり、製造及び使用に便利なフィルム貼付用補助位置決め装置を提供することにある。
【課題を解決するための手段】
【０００５】
上記目的を達成するための本考案の技術的手段は次のとおりである。
電子機器への保護フィルムの貼り付けを補助するためのフィルム貼付用補助位置決め装置であって、パネル本体を備え、前記パネル本体はフレーム及び位置規制部材を備え、前記フレームの中央部に保護フィルムのサイズに一致する中空領域が設けられ、前記位置規制部材が中空領域の側辺に可動に連結され、位置規制部材の間に電子機器の挟持空間が形成され、前記挟持空間が中空領域の位置に対して相対するように設けられることを特徴とするフィルム貼付用補助位置決め装置である。中空領域は、保護フィルムを通すのに使用され、保護フィルムのサイズに一致し、中空領域を用いて保護フィルムの位置を正確に位置決めすることができ、保護フィルム貼り付けの高精度及び高効率を確保することができる。位置規制部材は、電子機器を挟持するために設けられ、挟持空間によって電子機器の配置位置が決定され、挟持空間が中空領域の位置に対して相対するように設けられた後、電子機器が挟持空間によって固定されると、保護フィルムを貼り付ける位置も中空領域に決定される。要するに、この装置を用いて携帯電話を固定することができ、携帯電話が固定された後は、保護フィルムの貼り付け位置を正確に決定することができ、中空領域によって保護フィルムを正確で効率的に貼り付けることができる。パネル本体を平面構造に設計することにより、製造が容易になり、位置規制部材がフレームに可動に連結されることにより、構造の柔軟性が向上され、製造工程の複雑さが低減される。
さらに、前記位置規制部材はフレームにおいて折り曲げ可能である。位置規制部材がフレームにおいて折り曲げ可能になっていることで、携帯電話の挟持が容易になる。
さらに、前記位置規制部材とフレームとは一体接続構造であり、前記位置規制部材とフレームとの間に折り目が設けられている。折り目を設けることで、位置規制部材の折り曲げを容易にすることができる。位置規制部材とフレームとの一体構造により、製造工程が簡単になり、中空領域を切断するか又は折り目を押圧により成形すれば済む。
さらに、前記位置規制部材は第１折り曲げ片を備え、前記第１折り曲げ片は中空領域の各隅部の隣接する両辺に設けられ、隣接する両辺における第１折り曲げ片同士が挟持構造を形成し、前記第１折り曲げ片がフレームに対し折り曲げられる前は、隣接する２つの第１折り曲げ片同士は互いに当接し、フレームと同一平面上にある。中空領域の各隅部における挟持構造は、電子機器の各隅部を安定的に挟持することができ、第１折り曲げ片が折り曲げられた後、その弾性復元力によって電子機器が挟持される。折り曲げられる前の第１折り曲げ片がフレームと同一平面になるように設計することにより、該パネル本体を平面のままで切断又は押圧により成形することができ、パネル本体の製造工程の複雑さが低減される。
さらに、前記第１折り曲げ片は中空領域の内部に向かって折り曲げられ、前記挟持構造は直角に形成される。中空領域の内部に向かって折り曲げられる第１折り曲げ片の設計により、第１折り曲げ片の正面が電子機器の側辺に直接作用することを可能にし、各第１折り曲げ片の正面によって電子機器を挟持固定することができる。
さらに、前記位置規制部材は第２折り曲げ片を備え、前記第２折り曲げ片はそれぞれが位置するフレームの側辺に向かって折り曲げられ、前記第２折り曲げ片の側辺が中空領域に向けられ、各前記第２折り曲げ片の側辺が折り曲げられた後組み合わさって前記挟持空間を形成する。それぞれが位置するフレームの側辺に向かって折り曲げられる第２折り曲げ片の設計により、第２折り曲げ片の側辺が中空領域に作用することを可能にし、フレームに接する第２折り曲げ片の折り目が一定の長さを有するため、第２折り曲げ片の側辺が一定の安定性を備え、第２折り曲げ片が折り曲げられるとき、第２折り曲げ片の側辺が常に中空領域の側辺に作用し、電子機器に対する安定的な挟持及び支持が確保される。
さらに、前記中空領域の側辺に位置規制側辺が設けられ、各位置規制側辺が保護フィルムの位置規制空間を形成し、各位置規制側辺がそれぞれ保護フィルムの側辺に当接される。フレームに各位置規制側辺を設けることにより、保護フィルムの各側辺を位置規制することができ、該位置規制側辺によって、保護フィルム貼り付けの高精度及び高効率を確保することができる。
さらに、前記パネル本体の材質が紙である。該装置が紙材料からなることにより、自然環境中でも速やかに分解でき、環境にやさしく、廃棄処理が容易になる。
さらに、前記紙の坪量範囲が６００ｇ〜１２００ｇである。この坪量範囲の紙は全体の安定性及び構造強度を確保することができる。
【考案の効果】
【０００６】
本考案にかかる装置は、携帯電話を固定することができ、携帯電話が固定された後、保護フィルムの貼り付け位置を正確に決定することができ、中空領域を介して保護フィルムを正確で効率的に貼り付けることができる。
パネル本体を平面構造に設計することにより、製造が容易になり、位置規制部材がフレームに可動に連結されることにより、構造の柔軟性が向上され、製造工程の複雑さが低減される。
また、該装置が紙材料からなることにより、プラスチック金型の設計製造、射出成形工程を削減することができて、製造周期が大幅に短縮され、二酸化炭素排出が低減される。従来のフィルム貼付装置に比べて、位置決め精度を保持しながら、コストを効果的に削減し、さらに、従来のフィルム貼付装置の重量が大きいという問題を解決し、紙材料からなる装置は廃棄処理も容易である。
【図面の簡単な説明】
【０００７】
【図１】本考案の第１折り曲げ片がフレームと同一平面上にあるときの構造概略図である。
【図２】本考案の第１折り曲げ片が展開された後の構造概略図である。
【図３】本考案の第２折り曲げ片がフレームと同一平面上にあるときの構造概略図である。
【図４】本考案の第２折り曲げ片が展開された後の構造概略図である。
【考案を実施するための最良の形態】
【０００８】
本考案の目的、技術的手段及び利点をより明確にするために、以下、図面を参照しながら実施例によって本考案を詳細に説明する。本明細書に記載された具体的な実施例は本考案を説明するためのものであって、本考案を限定するためのものではないことを理解されたい。
図１〜４に示すように、本考案の電子機器への保護フィルムの貼り付けを補助するためのフィルム貼付用補助位置決め装置は、パネル本体を備え、前記パネル本体はフレーム１及び位置規制部材２を備え、前記フレーム１の中央部に保護フィルムのサイズに一致する中空領域３が設けられ、前記位置規制部材２が中空領域３の側辺に可動に連結され、位置規制部材２の間に電子機器の挟持空間２１が形成され、前記挟持空間２１が中空領域３の位置に対して相対するように設けられる。中空領域３は、保護フィルムを通すのに使用され、保護フィルムのサイズに一致し、中空領域３を用いて保護フィルムの位置を正確に位置決めすることができ、保護フィルム貼り付けの高精度及び高効率を確保することができる。位置規制部材２は、電子機器を挟持するために設けられ、挟持空間２１によって電子機器の配置位置が決定され、挟持空間２１が中空領域３の位置に対して相対するように設けられた後、電子機器が挟持空間２１によって固定されると、保護フィルムを貼り付ける位置も中空領域３に決定される。要するに、この装置を用いて携帯電話を固定することができ、携帯電話が固定された後は、保護フィルムの貼り付け位置を正確に決定することができ、中空領域３によって保護フィルムを正確で効率的に貼り付けることができる。パネル本体を平面構造に設計することにより、製造が容易になり、位置規制部材２がフレーム１に可動に連結されることにより、構造の柔軟性が向上され、製造工程の複雑さが低減される。
【０００９】
前記位置規制部材２はフレーム１との間で折り曲げ可能である。位置規制部材２がフレーム１との間で折り曲げ可能になっていることで、携帯電話の挟持が容易になる。
前記位置規制部材２とフレーム１とは一体構造であり、前記位置規制部材２とフレーム１との間に折り目２２が設けられている。折り目を設けることで、位置規制部材２の折り曲げを容易にすることができる。位置規制部材２とフレーム１との一体構造により、製造工程が簡単になり、中空領域３を切断するか又は折り目２２を押圧により成形すれば済む。
【００１０】
図１と図２は、本考案の位置規制部材の第１の実施例であり、前記位置規制部材２は第１折り曲げ片２３を備え、前記第１折り曲げ片２３は中空領域３の各隅部の隣接する両辺に設けられ、フレーム１に対する折り曲げ後に隣接する両辺における第１折り曲げ片２３同士が挟持構造を形成し、前記第１折り曲げ片２３がフレーム１に対して折り曲げられる前は、隣接する２つの第１折り曲げ片２３同士は互いに当接し、フレーム１と同一平面上にある（図１の参照）。中空領域３の各隅部における挟持構造は、電子機器の各隅部を安定的に挟持することができ、第１折り曲げ片２３が折り曲げられた後、その弾性復元力によって電子機器が挟持される。折り曲げられる前は、第１折り曲げ片２３がフレーム１と同一平面になるように設計することにより、該パネル本体を平面のままで切断又は押圧により成形することができ、パネル本体の製造工程の複雑さが低減される。
本実施例において、前記第１折り曲げ片２３は中空領域３の内部に向かって折り曲げられ、前記挟持構造は直角に形成される。中空領域３の内部に向かって折り曲げられる第１折り曲げ片２３の設計により、第１折り曲げ片２３の正面が電子機器の側辺に直接作用することを可能にし、各第１折り曲げ片２３の正面によって電子機器を挟持固定することができる。
【００１１】
図３と図４は、本考案の位置規制部材の第２の実施例であり、前記位置規制部材２は第２折り曲げ片２４を備え、前記第２折り曲げ片２４はそれぞれが位置するフレーム１の側辺に向かって折り曲げられ、前記第２折り曲げ片２４の側辺が中空領域３に向けられ、各前記第２折り曲げ片２４の側辺が折り曲げられた後組み合わさって前記挟持空間２１を形成する。それぞれが位置するフレーム１の側辺に向かって折り曲げられる第２折り曲げ片２４の設計により、第２折り曲げ片２４の側辺が中空領域３に作用することを可能にし、フレーム１に接する第２折り曲げ片２４の折り目が一定の長さを有するため、第２折り曲げ片２４の側辺が一定の安定性を備え、第２折り曲げ片２４が折り曲げられるとき、第２折り曲げ片２４の側辺が常に中空領域３の側辺に作用し、電子機器に対する安定的な挟持及び支持が確保される。
【００１２】
本実施例において、前記第２折り曲げ片２４は中空領域３の四隅部に集中的に設けられてもよく、支持構造の強度を強化するため、各位置において２つの第２折り曲げ片２４が対で設けられてもよい。
本実施例において、第２折り曲げ片２４の折り曲げ角度はフレーム１に対して９０度であり、この場合、中空領域３と挟持空間２１は上下に正確に対応することができ、電子機器に対する挟持力を高めることもできる。
各図において、前記中空領域３の側辺に位置規制側辺３１が設けられ、各位置規制側辺３１が保護フィルムの位置規制空間を形成し、各位置規制側辺３１がそれぞれ保護フィルムの側辺に当接される。フレーム１に各位置規制側辺３１を設けることにより、保護フィルムの各側辺を位置規制することができ、該位置規制側辺３１によって、保護フィルム貼り付けの高精度及び高効率を確保することができる。
【００１３】
前記パネル本体の材質は紙である。紙材料であるため、従来のフィルム貼付装置に比べて、廃棄後に埋め立てによって処理されても自然分解でき、現在の環境保全理念に適合する。
前記紙の坪量範囲は６００ｇ〜１２００ｇである。この坪量範囲の紙は、全体の安定性及び構造強度を確保することができる。
本実施例において、人々のさまざまなニーズを満たすために、該装置にさらに文字やキャラクタを印刷して、該装置の種類を増加させることができる。
【００１４】
以上は、本考案の好ましい実施例に過ぎず、本考案を限定するためのものではない。本考案の精神及び原則内で行われた任意の修正、同等の置換及び改良などはいずれも本考案の保護範囲内に含まれるべきである。
【図１】
0003233138.tif 000003
【図２】
0003233138.tif 000004
【図３】
0003233138.tif 000005
【図４】
0003233138.tif 000006